(57)【特許請求の範囲】
【請求項１】
側壁（２）及び前記側壁（２）と結合する横方向の部分（８）を有する断面が台形で関節のある締め付け帯片（１）と、
前記締め付け帯片（１）上に配置される引っ張りクロージャ（５）と、
中断を有し、前記締め付け帯片（１）の中に配置される金属帯製の錐体のリング（６）を含み、
前記錐体のリング（６）が、歯（７）を有する半径方向内側の縁を有し、前記歯（７）が、前記締め付け帯片（１）の前記側壁（２）の内径より小さい径を有する円上に置かれる自由端を有し、
前記錐体のリング（６）が、前記側壁（２）の１つと前記横方向の部分の間の屈曲部分に載る半径方向外側の縁を有することを特徴とする、２つの管を結合するプロフィールクランプ。
【請求項２】
前記締め付け帯片（１）を取り囲む引っ張り帯（４）をさらに含み、
前記引っ張り帯（４）が前記引っ張りクロージャ（５）の締め付け顎（９）として構成される端を有することを特徴とする、請求項１に記載のプロフィールクランプ。
【請求項３】
前記引っ張りクロージャ（５）が、関節のあるクロージャであることを特徴とする、請求項１に記載のプロフィールクランプ。
【請求項４】
側壁（２）及び前記側壁（２）と結合する横方向の部分（８）を有する断面が台形で関節のある締め付け帯片（１）を含むプロフィールクランプを含み、
前記プロフィールクランプが、前記締め付け帯片（１）上に配置される引っ張りクロージャ（５）を含み、
前記プロフィールクランプが、中断を有し前記締め付け帯片（１）に配置される金属帯製である錐体のリング（６）を含み、
前記錐体リング（６）が歯（７）を有する半径方向内側の縁を有し、前記歯（７）が、前記締め付け帯片（１）の前記側壁（２）の内径より小さい径を有する円上に置かれる自由端を有し、
前記錐体リング（６）が前記側壁（２）の１つと前記横方向の部分（８）の間の屈曲部分に載る半径方向外側の縁を有し、
第１の管（１３）が前記締め付け帯片（１）の前記側壁（２）の間に結合する半径方向外側を向くフランジ（１７）を有し、前記第１の管（１３）の小さい径から大きい径への錐体の遷移部（１８）を有する幅広の端部を含み、
第２の管（１４）が滑らかな端部（１６）を有し、前記幅広の端部（１５）に挿入され、
前記滑らかな端部（１６）の外径が前記第１の管（１３）の幅広の端部（１５）の内径より小さく、
前記フランジ（１７）の外径が前記側壁（２）の内径より大きく、前記締め付け帯片（１）の前記横方向の部分（８）の内径より小さく、
前記滑らかな端部（１６）と前記錐体の遷移部（１８）の間に配置される密封リング（１９）を含むことを特徴とする、第１の管（１３）及び第２の管（１４）を接合するスリーブ接合具。
【発明の詳細な説明】
【０００１】
【発明の属する技術分野】
本発明は、ほぼ台形の断面を有する関節のある締め付け帯片及び引っ張りクロージャを含む管またはその種のものを結合するためのプロフィールクランプに関し、さらにはこうしたプロフィールクランプを有するスリーブ接合具に関する。
【０００２】
【従来の技術】
こうしたプロフィールクランプはその端部に、例えばドイツ特許１９８  ００２３８  Ｃ１に記載されているようなフランジを有する管を結合するのに使用される。それらはまた、他の構造物の部品、例えば端部にフランジが提供されるコンテナ及びコンテナの蓋を結合するのにも使用されうる。
【０００３】
さらに管締め付け具は、同一径の滑らかな管を結合するために使用されると知られており、その内側側面には金属帯片で形成される錐体の開口リングが提供される。錐体の開口リングは互いに向かって傾斜し、半径方向外側の縁で軸横方向の部分から締め付け帯片の半径方向の側壁それぞれへの遷移部の内側側面に対して載る。一方で、それらは歯または爪が提供される半径方向内側に配置される縁で管素材に結合する。こうした管継手の１つの例は、ドイツ特許１９８  ０２  ６７６  Ｃ１に記載されている。
【０００４】
管のスリーブ接合具の場合、第１の管の端部が広がり、第２の管の端部が滑らかであることにより、滑らかな端部が幅広の端部に導入される。その際シールが２つの端部の間に配置されるが、こうしたプロフィールクランプでは管にフランジがないために使用されず、こうした管継手では端部の径が異なるために使用されない。
【０００５】
【発明が解決しようとする課題】
本発明の目的は、多大な出費を要せずにスリーブ接合のために使用することができ、さらに確実な結合を提供する前に述べた種類のプロフィールクランプを提供することにある。さらには、こうしたプロフィールクランプを使用する単純なスリーブ接合具も提供される。
【０００６】
【課題を解決するための手段】
本発明によれば、締め付け帯片に中断を有する金属帯製の錐体リングが提供され、そのリングの半径方向内側の縁が歯を有し、歯の自由端が、径が締め付け帯片の側壁の内径より小さい円上に置かれ、リングの半径方向外側の縁が側壁の１つと側壁と結合する締め付け帯片の横方向の部分との間の屈曲部分に対して載ることによって達成される。
【０００７】
この構成で、スリーブ接合具の第１の管の幅広の端部だけに半径方向のフランジが提供されなければならず、プロフィールクランプにはさらに加えて歯付きリングが提供されなければならない。こうして単純で確実な、高い負荷がかけられるスリーブ接合具が形成される。
【０００８】
本発明によるプロフィールクランプを使用する本発明によるスリーブ接合具は、その後、結合される第１の２つの管又はその種のものの１つが、締め付け帯片の側壁の間に結合する半径方向外側を向くフランジを有する幅広の端部とさらに小さい径から大きい径へ移行する錐体の遷移部を有すること、及び第２の管が幅広の端部に挿入される滑らかな端部を有し、その外側の径が第１の管の幅広の端部の内径より小さいことにより存する。その際、フランジの外径は側壁の内径より大きく締め付け帯片の横方向の部分の内径より小さい。そして密封リングが挿入された端部の内側の端部と錐体の遷移部の間に配置される。
【０００９】
好ましくは、締め付け帯片は引っ張り帯により取り囲まれる。引っ張り帯の端は引っ張りクロージャの締め付け顎として形成される。この結合において、引っ張り帯は対応して堅くなり、厚い壁を有する。そのため引っ張り帯は管の高い軸方向の力に耐えることができ、それによりクロージャ、特に取り扱いが容易な関節のあるクロージャが単純な方法で取り付けられうる。
【００１０】
本発明及びその実施形態は、図に示される好ましい実施形態を使って以下に説明される。
【００１１】
【発明の実施の形態】
図１及び図２によると、プロフィールクランプはほぼ台形の断面を有する締め付け帯片１を含み、その側壁２には関節部を成す中断３が提供される。プロフィールクランプはさらに締め付け帯片を取り囲む引っ張り帯４、関節のあるクロージャの形状を成し引っ張り帯４と協働する引っ張りクロージャ５及び金属帯片のリング６を含み、リング６の半径方向内側の縁には歯７が提供される。歯７の自由端は円上に置かれ、その径は締め付け帯片１の側壁２の内径より小さい。リング６の半径方向外側の縁は側壁の１つ及び締め付け帯片１の側壁２と結合する横方向の部分８の間の屈曲部分に置かれる。引っ張り帯４は背面に屈曲してループ形状の締め付け顎９を形成する端部を有する。締め付け顎９は引っ張り帯４に、例えば溶接により固締される。ループ形状の締め付け顎９にスリーブ状の接合部分１０及び１１が配置され、それらは締め付けねじ１２によって貫入される。この目的のために、接合部分１０はねじ付けられた孔を有し、接合部分１１はねじなしの孔を有する。さらに締め付け顎９には接合部分１０及び１１それぞれの円周の大部分にわたって延び、締め付けねじを各ループの半径方向外側の脚部で受け止める長穴が提供される。
【００１２】
結合される管１３、１４の第１の管１３は、幅広の端部分１５を有し、いわゆる「スリーブ管」を形成する。第２の管１４は滑らかな端部１６を有する。管１３の幅広の端部１５はその端に外側を向くフランジ１７を有し、フランジ１７は締め付け帯片１の側壁２の間に結合する。フランジ１７の外径は締め付け帯片１の側壁２の内径より大きく、締め付け帯片１の横方向の部分８の内径より小さい。さらに、幅広の端部分１５は小さい径から大きい径への錐体の遷移部１８を有する。内側の滑らかな端部分１６の外径は管１３の幅広の端部分１５の内径より小さい。内側の端部分１６及び錐体の遷移部１８との間にはエラストマー素材の密封リング１９が配置される。内側の端部分１６の自由端の背後で管１３が管１４の端部分１６と同じ径になるよう次第に細くなる。
【００１３】
開かれたプロフィールクランプが管１３のフランジ１７について設置され、密封リング１９が錐体の遷移部１８と接触する地点まで管１３に導入されたあと、管１４の端部１６が端部１５に導入される。その後プロフィールクランプは引っ張りクロージャ５によりきつく締め付けられる。この方法でリング６の重なり合う自由端部分２０、２１が互いに対して円周方向に移動し、これは重なり部分の拡大を意味する。同時に、リング６は幾分半径方向に圧縮され、歯７が提供されるリングの内側の縁が外側の管１３に向かう方向に移動し、最低でもそこに入ろうと移動する傾向がある。これを行うと、管１４が１つの方向に引き込まれ、随意的に管１３も他の方向に引き込まれるが、これは管１４が管１３の方にさらに移動するという意味である。これにより密封リング１９はさらに圧縮されその密封作用が増す。管１３、１４における圧力が増大すると、管１３、１４は互いから離れて移動する傾向を有する。しかしながら、これは端部１６の素材に結合するリング６の歯７により、そしてまたこの場合にリング６が半径方向に立ち上がる傾向を有するという事実により抑えられる。このことにより歯７は端部１６の素材にますますきつく結合する。また、フランジ１７に結合する締め付け帯片１の１つの側壁２は管１３が管１４から離れて移動することを防ぐ。
【００１４】
従って管１３はフランジ１７が提供されることだけを必要とし、従来のプロフィールクランプにはリング６をもうけることによりスリーブ接合具が構成される。この結合において、フランジ１７は金属製の管１３の場合にはビードを形成することにより簡単に提供されうる。従来のプロフィールクランプ自体はどんな変更も必要としない。
【００１５】
本発明の原理を図示するために、本発明の具体的な実施形態が示され詳細に記述される限り、本発明がこうした原理と分離されることなく別の方法でも実施されるものと理解される。
【図面の簡単な説明】
【図１】本発明によるプロフィールクランプ及びプロフィールクランプで形成されるスリーブ接合具の軸断面図を示している。
【図２】本発明によるプロフィールクランプ及びスリーブ接合具の側面図である。
【符号の説明】
１  締め付け帯片
２  側壁
３  中断
４  引っ張り帯
５  引っ張りクロージャ
６  リング
７  歯
８  横方向の部分
９  締め付け顎
１０  スリーブ状の接合部分
１１  スリーブ状の接合部分
１２  締め付けねじ
１３  第１の管
１４  第２の管
１５  幅広の端部
１６  滑らかな端部
１７  フランジ
１８  錐体の遷移部
１９  密封リング
２０  重なり合う自由端部分
２１  重なり合う自由端部分
【図１】
0003620518.tif 000002
【図２】
0003620518.tif 000003